(57)【要約】      （修正有）【課題】クリップ本体が偶発的に開いても広告媒体が落下せず，また，広告媒体が動いて広告クリップに対して斜めに傾くことがなくなる広告クリップを提供する。【解決手段】広告クリップは，開閉可能に蝶番５，５’で連結された一対の横長の板状体３，４からなるクリップ本体を有し，チラシ，その他広告媒体等の告知資料を狭持するものであって，一方の板状体４が，クリップ本体が閉じた状態における内側表面に磁石７，７’を備え，他方の板状体３が，磁石７，７’に吸着する磁性を有し，さらに，内側表面から突出する突起部８，８’を中央付近に２箇所備え，２つの突起部８，８’が，広告媒体に穿設形成した孔部に挿通可能である。【選択図】図６
0003210093.tif 000002
【実用新案登録請求の範囲】
【請求項１】
開閉可能に蝶番で連結された一対の横長の板状体からなるクリップ本体を有し，広告媒体等の告知資料を狭持するものであって，
一方の前記板状体が，前記クリップ本体が閉じた状態における内側表面に磁石を備え，
他方の前記板状体が，前記磁石に吸着する磁性部を有し，さらに，内側表面から突出する突起部を中央付近に２箇所備え，前記２つの突起部が，前記広告媒体に穿設形成した孔部に挿通可能であることを特徴とする広告クリップ。
【請求項２】
前記２つの突起部が貫通する挿孔を有し，前記突起部を備えた板状体の内側表面を覆うように設置される，前記磁石に吸着する磁性を有する薄板を備えたことを特徴とする請求項１記載の広告クリップ。
【請求項３】
前記他方の板状体の内側表面を覆うように設置される，前記磁石に吸着する磁性を有する薄板を備え，
前記薄板に，内側表面から突出する突起部が中央付近に２箇所形成され，前記２つの突起部が，前記広告媒体に穿設形成した孔部に挿通可能であることを特徴とする請求項１記載の広告クリップ。
【請求項４】
前記２つの突起部が，ＪＩＳＳ６０４１に規定する２穴に挿通可能であることを特徴とする請求項１又は３記載の広告クリップ。
【請求項５】
前記薄板の設置を，前記他方の板状体の内側表面上に粘着シートを貼りその上に前記薄板を載せたことを特徴とする請求項３又は４いずれか１項記載の広告クリップ。
【請求項６】
前記他方の板状体を貫通する取付孔を有することを特徴とする請求項１又は２記載の広告クリップ。
【請求項７】
前記他方の板状体と前記薄板を貫通する取付孔を有することを特徴とする請求項３〜５いずれか１項記載の広告クリップ。
【請求項８】
前記他方の板状体に，外側に水平に突出した水平片と，該水平片の先端から垂下方向に張り出す垂下片とを有するフック部を備えたことを特徴とする請求項１〜７いずれか１項記載の広告クリップ。
【請求項９】
金属板の先端をコ字状に曲折して先端から垂下片，水平片，基片を有し，該基片を前記粘着シートが設けられていない前記他方の板状体と前記薄板との隙間に挿着したフック部を備えたことを特徴とする請求項５記載の広告クリップ。
【請求項１０】
前記広告媒体が，表面に透明なプラスチックフィルム又はシートを張り合わせるパウチ加工がなされていることを特徴とする請求項１〜９いずれか１項記載の広告クリップ。
【考案の詳細な説明】
【技術分野】
【０００１】
本考案は，チラシその他の広告等の宣伝広告媒体を含む告知資料（以下，「広告媒体」という）を狭持するクリップであって，例えば，屋外などのバス停留所標識に取り付けて使用される広告クリップに関する。
【背景技術】
【０００２】
従来から，広告媒体を掲示するために，この広告媒体を狭持して吊り下げる広告クリップが使用されている。このような広告クリップとしては，例えば，横長の鉄製の板２枚を蝶番で連結して開閉可能にし，一方の前記鉄製の板の内面にゴム磁石を設けた広告クリップがあり，２枚の前記鉄製の板で広告媒体を挟むと，前記磁石と他方の前記鉄製の板が磁力により吸着し，２枚の前記鉄製の板が閉じた状態が維持される（特許文献１）。
【０００３】
上述のように広告媒体を狭持できる広告クリップは，広告媒体の取り付け，取り外しが容易ではある。
【先行技術文献】
【特許文献】
【０００４】
【特許文献１】実開昭４８−９８０８４号公報
【考案の概要】
【考案が解決しようとする課題】
【０００５】
しかし，上述のように広告媒体の保持が，広告クリップの狭持のみによる場合，クリップが偶発的に開く又は，広告媒体の重み若しくは広告媒体に何らかの引っ張り力が働くことで，広告媒体が落下するか，又は，クリップに対して広告媒体が斜めにずれて見栄えが悪くなる問題があり，外れた広告媒体を再度取り付け，又は，位置ずれした広告媒体を正す必要があった。
【０００６】
本考案は，上記問題点に鑑みてなされたものであって，本体の取り付けが容易で，広告媒体の着脱操作が容易で，広告媒体が不本意に落下又は斜めにズレたりせず，また，合成紙あるいは表面をプラスチックフィルムでパウチ加工された多少重みのある広告媒体でも保持できる広告クリップを提供することを目的とする。
【課題を解決するための手段】
【０００７】
以下に，課題を解決するための手段を，考案を実施するための形態で使用する符号と共に記載する。この符号は，実用新案登録請求の範囲の記載と考案を実施するための形態の記載との対応を明らかにするために記載したものであり，言うまでもなく，本考案の技術的範囲の解釈に制限的に用いられるものではない。
【０００８】
本考案の広告クリップ１は，開閉可能に蝶番５，５’で連結された一対の横長の板状体３，４からなるクリップ本体１０を有し，チラシ，その他の広告媒体等の告知資料を狭持するクリップであって，
一方の前記板状体４が，前記クリップ本体１０が閉じた状態における内側に位置する表面（以下，「内側表面）という）に磁石７，７’を備え，
他方の前記板状体３が，前記磁石７，７’に吸着する磁性部を有し（板状体３自体が磁性を有するものでも良く，また，板状体３に磁性を有する金属片などを設けても良い。），さらに，内側表面から突出する例えば，ボルトから成る突起部８，８’を板状体３の長手方向中央付近に所定間隔を介して，２箇所形成し，かつ，前記２つの突起部８，８’が，前記広告媒体に例えば，市販の２穴パンチの間隔に穿設形成した孔部に挿通可能であることを特徴とする（請求項１）。
【０００９】
また，本考案の広告クリップ１は，前記磁石７，７’に吸着する磁性を有する薄板１２を，前記２つの突起部８，８’が貫通する挿孔を有し，前記突起部８，８’を備えた板状体３の内側表面を覆うように設けても良い（請求項２）。
【００１０】
また，本考案の広告クリップ１は，前記他方の板状体３の前記突起部８，８’に代替して，
前記他方の板状体３の内側表面を被覆する前記磁石７，７’に吸着する磁性を有する薄板１２を備え，前記薄板１２に形成された２つの突起部８，８’が，前記広告媒体に穿設形成した孔部に挿通可能であるものとしても良く（請求項３），
また，前記２つの突起部８，８’が，ＪＩＳＳ６０４１に規定する２穴に挿通可能としても良い（請求項４）。
【００１１】
前記薄板１２は，前記他方の板状体３の内側表面上に貼着した粘着シート１４上に載置接着しても良い（請求項５）。
【００１２】
また，本考案の広告クリップ１は，前記他方の板状体３を貫通する取付孔６，６’を有するものとしても良い（請求項６）。なお，前記薄板１２を有する場合は，前記他方の板状体３と前記薄板１２を貫通する取付孔６，６’を形成することとなる（請求項７）。
【００１３】
また，前記他方の板状体３に，水平に突出した水平片３１と，該水平片３１の先端から垂下方向に張り出す（例えば，前記水平片３１の先端部を垂下方向に折曲してなる）垂下片３２とを有する下向き略コ字状のフック部３０を設けても良い（請求項８）。
【００１４】
前記フック部３０は，金属板の先端をコ字状に曲折して取付方向下向きの垂下片３２，該垂下片の上端から略直角に曲折した水平片３１と，該水平片から同方向下向きの基片３３を有し，該基片３３を前記粘着シート１４が設けられていない前記板状体３と薄板１２との間隙に挿着しても良い（請求項９）。
【００１５】
前記広告媒体など告知資料は，例えば雨水から保護するために，表面に透明なプラスチックフィルム又はシートを張り合わせるパウチ加工がなされていても良い（請求項１０）。
【考案の効果】
【００１６】
本考案の広告クリップ１の使用に際しては，予め広告媒体に設けた孔部，例えば，市販の２穴パンチで設けた孔部に前記突起部８，８’を挿通して係合させた状態で，クリップ本体１０を閉じて前記広告媒体を狭持することができるため，クリップ本体１０が不用意に開いても広告媒体が落下せず，また，広告媒体が動いて広告クリップ１に対して斜めに傾くことを防止できる。また，表面に透明なプラスチックフィルム又はシートを張り合わせるパウチ加工がなされた多少重みのある広告媒体を狭持する場合であっても，前記突起部８，８’が係合しているため，容易に落下したりしない。
【００１７】
また，本考案の広告クリップ１は，前記フック部３０を備えることで，設置が容易で落下防止対策となる。
【図面の簡単な説明】
【００１８】
【図１】本考案の広告クリップ１の一実施形態の正面図。
【図２】図１の広告クリップ１の背面図。
【図３】図１の広告クリップ１の平面図。
【図４】図１の広告クリップ１の底面図。
【図５】図１の広告クリップ１の右側面図。
【図６】図１の広告クリップ１を開いた状態を示す全体斜視図。
【図７】図１のＡ−Ａ線拡大断面図。
【図８】図１の広告クリップ１の使用状態を示す図。
【図９】本考案の広告クリップ１の他の実施形態の正面図。
【図１０】図９の広告クリップ１の背面図。
【図１１】図９の広告クリップ１の平面図。
【図１２】図９の広告クリップ１の底面図。
【図１３】図９の広告クリップ１の右側面図。
【図１４】図９の広告クリップ１を開いた状態を示す全体斜視図。
【図１５】図９のａ−ａ線拡大断面図。
【図１６】図９の広告クリップ１の使用状態を示す図。
【考案を実施するための形態】
【００１９】
本考案の広告クリップ１の一実施形態について以下，図１〜図８を参照して説明する。
【００２０】
本実施形態の広告クリップ１は，一対の金属製の横長の板状体３，４を蝶番５，５’で開閉可能に連結してクリップ本体１０を形成しており，図１〜５はクリップ本体１０が閉じた状態を示し，図６はクリップ本体１０が開いた状態を示す。
【００２１】
また，本実施形態の広告クリップ１は，前記蝶番５，５’の取り付けについて，図５及び図６に示すように，板状体３は，クリップ本体１０が閉じた状態における内側表面上を覆うように設置された金属製の薄板１２を備え，そして，該薄板１２に蝶番５，５’の一方の蝶片を取り付け，他方の蝶片を板状体４に取り付けて前記板状体３，４を開閉可能としているが，薄板１２を板状体３に設けずに直に板状体３に蝶番５，５’の蝶片を取り付けても良い。
【００２２】
前記薄板１２の板状体３への固定の仕方は特に限定されないが，本実施形態では，図５，図７に示すように，板状体３の内側表面に両面粘着シート１４を貼ってその上に薄板１２を載せて貼着している。
【００２３】
また，本実施形態の広告クリップ１の前記薄板１２が，磁石と吸着可能な磁性体であり，図６に示すように，前記板状体４の内側表面の両端部に磁石７，７’を配置，クリップ本体１０を閉じると薄板１２が磁石７，７’に吸着し，一対の板状体３，４が閉じた状態を維持できる。
【００２４】
前記薄板１２を設けない場合は，磁性体の板状体３を使用して，板状体３を磁石７，７’に吸着させて，板状体３，４が閉じた状態を維持できるようにしても良い。
【００２５】
なお，上述の磁性体は，磁石に吸着する磁性を有するものであれば特に限定されず，例えば，鉄，ニッケル又は，クロムを原料とした金属又は合金を使用することができる。また，磁性を有する薄板１２を使用する場合は，前記板状体３は，金属製に限定されず，例えば，磁性を有しないプラスチック等を使用しても良い。また，磁石７，７’が配置される板状体４は，磁性体に限定されないことは言うまでもない。
【００２６】
磁石７，７’の板状体４への装着方法は特に限定されないが，例えば，図５に示すように，本実施形態のように，底板２１と該底板２１の両端から垂直に立設された側壁２２ａ，２２ｂから成る断面上向きコ字状の台座２０を用意し，該台座２０の底板２１を板状体４の内側表面に固着し，前記台座２０の凹部に納まるように磁石７，７’を設けても良い。
【００２７】
本実施形態では，クリップ本体１０を閉じると，図５に示すように，前記側壁２２ａの上端と薄板１２の内側表面とが接触するため，この前記側壁２２ａの上端と薄板１２の内側表面で広告媒体を狭持することができるが，本考案の広告クリップ１の広告媒体の狭持はこれに限定されず，例えば，前記台座２０を設けず，前記磁石７，７’と薄板１２が接触することで広告媒体を狭持するものとしても良く，さらに，薄板１２を設けない場合は，前記磁石７，７’と前記板状体３が接触することで広告媒体を狭持するものとしても良い。
【００２８】
本実施形態の広告クリップ１には，図６に示すように，前記板状体３の内側表面の中央２箇所に突起部（ボルト）８，８’を形成している。本実施形態における突起部８，８’は，図７に示すように，板状体３と薄板１２を貫通するように，板状体３，粘着シート１４さらに，薄板１２に形成した挿孔に板状体３の，前記クリップ本体１０が閉じた状態における外側の表面（以下，「外側表面」という）からボルト８，８’を挿通して固着し，該ボルト８，８’の先端から基端付近のネジ部を突出させて形成している。
【００２９】
また，本実施形態では，二つの前記突起部８，８’の間隔は，ＪＩＳＳ６０４１（事務用あなあけ器）で規定されている二穴（とじ穴）の間隔と同じにしており，また，突起部８，８’のボルトのネジ径が前記ＪＩＳＳ６０４１で規定されている穴の直径以下となっているため，二つの前記突起部８，８’が前記ＪＩＳＳ６０４１に規定する２穴に挿通可能となっている。
【００３０】
従って，本考案のクリップ１は，予め広告媒体に市販の２穴パンチで孔部を２箇所開けて，該孔部に前記突起部８，８’を挿通して係合させ，クリップ本体１０を閉じて前記広告媒体を保持することができる。上述のように，前記広告媒体が前記突起部８，８’に係合しているため，クリップ本体１０が開いても広告媒体が落下せず，また，広告媒体が斜めに傾くことを防止できる。また，前記広告媒体が，雨水等の汚れから保護するために，表面に透明なプラスチックフィルム又はシートを張り合わせるパウチ加工がなされている場合でも，市販の２穴パンチで孔部を２箇所開けて，該孔部に前記突起部８，８’を挿通して係合させ，クリップ本体１０を閉じて前記広告媒体を保持することができる。
【００３１】
なお，本実施形態では，前記突起部８，８を上述のとおりボルトで形成したが，ＪＩＳＳ６０４１に規定する２穴に挿通可能であれば特に限定されず，例えば，突起部８，８’を板状体３又は薄板１２の内側表面上にビス状物をスポット溶接するか，ビス状に突出するよう前記板状体３又は薄板１２の内側表面上に一体形成させても良い。
【００３２】
本実施形態の広告クリップ１は，図２，図６に示すように，板状体３及び薄板１２には，取付孔６，６’が形成されており，例えば，図８に示すように，バス停留所標識４０の桟４１に，板状体３の内側表面からドリルビスを挿入してビス止め又は，ボルトを挿入して締め付けて取り付けることができる。その際，板状体３の外側表面に両面粘着テープを貼って，バス停留所標識４０の桟４１と板状体３の外側表面を貼着しても良い。
【００３３】
なお，強力な両面粘着テープを使用することで，取付孔６，６’の形成を省略しても良い。
【００３４】
次に，本考案の他の実施形態について，図９〜図１６を参照して説明する。なお，説明の便宜上，上述した実施形態における説明と同じ構造については，同じ符号を付し，その詳細な説明を省略する。
【００３５】
本実施形態の広告クリップ１は，図１３に示すように，板状体３に，外側に突出した水平片３１と該水平片３１の先端から垂下方向に突出した垂下片３２を有するフック部３０が設けられており，例えば，図１６に示すように，バス停留所標識４０の桟４１と透明アクリル板４２の間に前記垂下片３２を挿入して，前記フック部３０を桟４１に引っ掛けることができ，クリップ本体１０の取り付けを容易にし，落下防止を可能にする。
【００３６】
前記フック部３０の形成について，本実施形態の広告クリップ１は，図１５に示すように，薄い金属板の先端から断面がコ字状となるように曲折して，先端から前記垂下片３２，前記水平片３１，基片３３を形成し，前記基片３３を前記板状体３と前記薄板１２との間に挿通して固定してフック部３０を形成している。前記薄板１２と板状体３は粘着シート１４を介して貼着しているが，この粘着シート１４を設けていない箇所において，前記フック部３０の基片３３を前記薄板１２と板状体３との間に挿通している。
【００３７】
なお，前記フック部３０の形成については，上述に限定されず，板状体３の外側表面に一体形成しても良い。
【００３８】
また，フック部３０を備える本実施形態の広告クリップ１は，上述の実施形態と異なり，前記取付孔６，６’が不要であるが，クリップ本体１０の取り付けを強固にするために，上述の実施形態と同様に，前記取付孔６，６’を設けても良い。
【符号の説明】
【００３９】
１…広告クリップ
３…板状体
４…板状体
５，５’…蝶番
６，６’…取付孔
７，７’…磁石
８，８’…突起部
１０…クリップ本体
１２…薄板
１４…粘着シート
２０，２０’…台座
２１，２１’…底板
２２ａ，２２ｂ，２２ａ’，２２ｂ’…側壁
３０，３０’…フック部
３１，３１’…水平片
３２，３２’…垂下片
３３，３３’…基片
４０…バス停留所標識
４１…桟
４２…透明アクリル板
【図１】
0003210093.tif 000003
【図２】
0003210093.tif 000004
【図３】
0003210093.tif 000005
【図４】
0003210093.tif 000006
【図５】
0003210093.tif 000007
【図６】
0003210093.tif 000008
【図７】
0003210093.tif 000009
【図８】
0003210093.tif 000010
【図９】
0003210093.tif 000011
【図１０】
0003210093.tif 000012
【図１１】
0003210093.tif 000013
【図１２】
0003210093.tif 000014
【図１３】
0003210093.tif 000015
【図１４】
0003210093.tif 000016
【図１５】
0003210093.tif 000017
【図１６】
0003210093.tif 000018
【手続補正書】
【提出日】平成29年2月24日(2017.2.24)
【手続補正１】
【補正対象書類名】実用新案登録請求の範囲
【補正対象項目名】全文
【補正方法】変更
【補正の内容】
【実用新案登録請求の範囲】
【請求項１】
開閉可能に蝶番で連結された一対の横長の板状体からなるクリップ本体を有し，広告媒体の告知資料を狭持するものであって，
一方の前記板状体が，前記クリップ本体が閉じた状態における内側表面に磁石を備え，
他方の前記板状体が，前記磁石に吸着する磁性部を有し，さらに，内側表面から突出する突起部を中央付近に２箇所備え，前記２つの突起部が，前記広告媒体に穿設形成した孔部に挿通可能であることを特徴とする広告クリップ。
【請求項２】
前記２つの突起部が貫通する挿孔を有し，前記突起部を備えた板状体の内側表面を覆うように設置される，前記磁石に吸着する磁性を有する薄板を備えたことを特徴とする請求項１記載の広告クリップ。
【請求項３】
前記他方の板状体の内側表面を覆うように設置される，前記磁石に吸着する磁性を有する薄板を備え，
前記薄板に，内側表面から突出する突起部が中央付近に２箇所形成され，前記２つの突起部が，前記広告媒体に穿設形成した孔部に挿通可能であることを特徴とする請求項１記載の広告クリップ。
【請求項４】
前記２つの突起部が，ＪＩＳＳ６０４１に規定する２穴に挿通可能であることを特徴とする請求項１又は３記載の広告クリップ。
【請求項５】
前記薄板の設置を，前記他方の板状体の内側表面上に粘着シートを貼りその上に前記薄板を載せたことを特徴とする請求項２又は３いずれか１項記載の広告クリップ。
【請求項６】
前記他方の板状体を貫通する取付孔を有することを特徴とする請求項１又は２記載の広告クリップ。
【請求項７】
前記他方の板状体と前記薄板を貫通する取付孔を有することを特徴とする請求項２，３又は５いずれか１項記載の広告クリップ。
【請求項８】
前記他方の板状体に，外側に水平に突出した水平片と，該水平片の先端から垂下方向に張り出す垂下片とを有するフック部を備えたことを特徴とする請求項１〜７いずれか１項記載の広告クリップ。
【請求項９】
金属板の先端をコ字状に曲折して先端から垂下片，水平片，基片を有し，該基片を前記粘着シートが設けられていない前記他方の板状体と前記薄板との隙間に挿着したフック部を備えたことを特徴とする請求項５記載の広告クリップ。
【請求項１０】
前記広告媒体が，表面に透明なプラスチックフィルム又はシートを張り合わせるパウチ加工がなされていることを特徴とする請求項１〜９いずれか１項記載の広告クリップ。